(57)【要約】【課題】歩行困難な愛犬、老犬が飼い主と一緒に散歩ができる愛犬の散歩専用車を提供する。【解決手段】愛犬にとって快適な姿勢で座れるようにステップ板６にハッチ７が設けられており雨の日には愛犬には幌３、飼い主には傘立て１０が付いているので突然の雨にも、日差しの強い時も快適に散歩ができる。歩行困難になった犬も健全な時と同じ視線で散歩ができるように愛犬の座席箱４を地上１０〜１５センチに設置した愛犬散歩専用車。【選択図】図１
0003116380.tif 000002
【実用新案登録請求の範囲】
【請求項１】
歩行困難な愛犬を健全なときと同じ視線で散歩できるように愛犬の座席箱を地上１０〜１５センチ位に設置することで自然なかたちで飼い主と一緒に散歩ができる犬専用散歩車
【請求項２】
愛犬が座席箱に座ったときに尻尾や足を狭めない為にステップ板の下部にハッチを設け、尻尾が尻尾置きに出るように工夫する。
【請求項３】
健全な愛犬は、ステップ板から乗降するのでステップ板には必ず滑り止めを付ける。
【請求項４】
ハンドルには、傘スタンドを設け、愛犬の座席箱の上には幌を付けることで突然の雨や日差しからも守る。
【請求項５】
両脇に付いている２２インチ空気タイヤで愛犬が毛、手、足を怪我しないように又、愛犬の爪で破損しないよう十分な厚さを持ち、丈夫で耐久性があるもので視界を妨がないように怪我防止板を取り付ける。
【請求項６】
ハンドルに付いている１０傘スタンドは１ハンドルと１７フレームに１６パイプ支持鉄板を取り付けることでしっかり固定できる。傘は使用する飼い主に合わせて大、中、小に柄の長さを工夫する。
【考案の詳細な説明】
【技術分野】
【０００１】本考案は、歩行困難な愛犬、老犬と一緒に散歩ができる愛犬の散歩専用車。健全な愛犬を公園までの自動車、自転車の事故から守るための愛犬の散歩専用車です。
【背景技術】
【０００２】歩行困難な大型犬の愛犬家は一緒に散歩することは大変難しく、小型犬の場合も籠に入れて持ち抱えて歩くか、抱きかかえて散歩するので多くの愛犬家がかなりの労力を必要とした。健全な老犬も散歩の途中で歩くのを嫌がりすぐ座り込んでしまう特に大型犬を飼っている愛犬家の悩みは深刻です、歩行困難な大型犬の愛犬家は特に愛犬の散歩専用車の出現を待ち望んでいます。
【考案の開示】
【０００３】〔考案が解決しようとする基本的な課題〕
（１）歩行困難な愛犬、老犬が飼い主と一緒に散歩できるようする犬散歩専用車
（２）健全な愛犬を公園に行きつくまでの舗道で交通事故に遭わないための愛犬の散歩専用車。
〔課題を解決するための手段〕
【０００４】愛犬にとって快適な姿勢で座れるよう工夫されており、雨の日は愛犬には幌、愛犬家には傘立てが付いているので突然の雨にも散歩が出来、日差しの強い時も日を避けることができように工夫されている。歩行困難になった犬も健全の時と同じ視線で散歩ができるように愛犬の座る位置の高さに座席箱を設置する。
【考案の効果】
【０００５】本考案は上記の課題を解決するために、次のような解決策を考案した。
（１）歩行困難な愛犬の視界が健全な時と同じ目線の高さに座席箱を設置することで自然な感覚で散歩ができる。
（２）愛犬の大きさに合わせて座席箱の大きさを変えることにより多種の愛犬に対応できる、飛び出す危険のある愛犬には格子状ネットを取り付けることで解決する。
（３）突然の雨にも、日差しの強い時でも愛犬には座席箱の上に幌を取り付け、愛犬家にはハンドルの中央に傘を立てる為のスダンドが取り付けてあるので、快適に散歩が楽しめる。
（４）健全な愛犬はステップ板から自分で座席箱に入れるようにステップ板に滑り止めをつける。
（５）ステップ板にはハッチが付いており座席箱の後にシッポ置きが付いているので座った時に愛犬のシッポがシッポ置きに入り快適に座れる。
〔考案を実施するための最良の形態〕
【０００６】次に、この考案の実施の形態を図１〜図７に基づいて説明する。
（１）１ハンドルと１７フレームに１６パイプ支持鉄板を図６のように付け１６パイプ支持鉄板に１０傘スタンドを取り付ける。１０傘スタンドには２０蓋を取り付ける、１０傘スタンドの下には１３止め金具を付ける。
（２）６ステップ板は１４滑り止めを付ける、６の裏にはステップ板を倒す時に壊れないように１５ゴムクッションを付ける、１３止め金具をかけることで鎖錠したり、開錠したりしてステップ板が開閉する。
（３）１ハンドルの両脇に２のバンドブレーキを取り付ける。
（４）９方向前輪と５の２２インチ空気タイヤを取り付ける。
（５）４座席箱はアルミ、プラスチックなど軽いもので作る。
（６）４の後部には８シッポ置きを設置する。
（７）５の両脇は愛犬が怪我をしないように又視界をさまたげないように１２透明のプラスチックの板を取り付ける。
（８）４の上に３の幌を取り付ける。
（９）傘は１８穴に１９露先止めを入れ、１ハンドルと１７フレームに傘の柄が挟まれて収納できる。
【図面の簡単な説明】
【０００７】
【図１】全体側面図（ステップ板半開）である。
【図２】全体側面図（ステップ板開）である。
【図３】全体背面図である。
【図４】は幌部分図である。
【図５】は（ａ）座席箱部分図  （ｂ）傘収納図
【図６】は（ａ）傘スタンド支持部詳細図（表）  （ｂ）傘スタンド支持部詳細図（裏）  （ｃ）傘
【図７】は（ａ）ステップ板の金具詳細図（表）  （ｂ）ステップ板の金具詳細図（裏）
【符号の説明】
【０００８】１：ハンドル
２：バンドブレーキ
３：幌
４：座席箱
５：２２インチ空気タイヤ
６：ステップ板
７：ハッチ
８：シッポ置き場
９：方向前輪車
１０：傘スタンド
１１：傘
１２：怪我防止板
１３：留め金具
１４：滑り止め
１５：クッションゴム
１６：パイプ支持鉄板
１７：フレーム
１８：傘の先置き穴
１９：傘の露先止め
２０：傘の蓋
２１：クサリ
【図１】
0003116380.tif 000003
【図２】
0003116380.tif 000004
【図３】
0003116380.tif 000005
【図４】
0003116380.tif 000006
【図５】
0003116380.tif 000007
【図６】
0003116380.tif 000008
【図７】
0003116380.tif 000009
【手続補正書】
【提出日】平成17年6月13日(2005.6.13)
【手続補正１】
【補正対象書類名】実用新案登録請求の範囲
【補正対象項目名】全文
【補正方法】変更
【補正の内容】
【実用新案登録請求の範囲】
【請求項１】
歩行困難な愛犬を健全なときと同じ視線で散歩できるように愛犬の座席箱を地上１０〜１５センチ位に設置することで自然なかたちで飼い主と一緒に散歩ができる犬専用散歩車。
【請求項２】
愛犬が座席箱に座ったときに尻尾や足を狭めない為にステップ板の下部にハッチを設け、尻尾が尻置きに出るように工夫する。
【請求項３】
健全な愛犬は、ステップ板から乗降するのでステップ板には必ず滑り止めを付ける。
【請求項４】
ハンドルには、傘スタンドを設け、愛犬の座席箱の上には幌を付けることで突然の雨や日差しからも守る。
【請求項５】
両脇に付いている２２インチ空気タイヤで愛犬が毛、手、足を怪我しないように又、愛犬の爪で破損しないように十分な厚さを持ち、丈夫で耐久性があるもので視界を妨がないように怪我防止板を取り付ける。
【請求項６】
ハンドルに付いている１０傘スタンドは１ハンドルと１７フレームに１６パイプ支持鉄板を取り付けることでしっかり固定できる。傘は使用する飼い主に合わせて大、中、小に柄の長さを工夫する。
【請求項７】
健全な愛犬は、ステップ板から自分で座席箱に入れるようにステップ板を付ける。
【請求項８】
方向転換がスムーズに出来、段差等も楽に移動でき、大型犬の重さに耐える為に方向前車輪１個と２２インチ空気タイヤ２個からなる愛犬専用散歩車。
【請求項９】
急な坂を降りたり、止める時の為にハンドルの両脇にハンドブレーキを付ける。
【手続補正書】
【提出日】平成17年8月24日(2005.8.24)
【手続補正１】
【補正対象書類名】実用新案登録請求の範囲
【補正対象項目名】全文
【補正方法】変更
【補正の内容】
【実用新案登録請求の範囲】
【請求項１】
歩行困難な愛犬を健全なときと同じ視線で散歩できるように愛犬の座席箱を地上１０〜１５センチ位に設置することで自然なかたちで飼い主と一緒に散歩ができる犬専用散歩車。
【請求項２】
愛犬が座席箱に座ったときに尻尾や足を狭めない為にステップ板の下部にハッチを設け、尻尾が尻尾置きに出るように工夫されていることを特徴とする請求項１記載の犬専用散歩車。
【請求項３】
健全な愛犬は、ステップ板から乗降するのでステップ板には必ず滑り止めを付けることを特徴とする請求項１記載の犬専用散歩車。
【請求項４】
ハンドルには、傘スタンドを設け、愛犬の座席箱の上には幌を付けることで突然の雨や日差しからも守ることのできることを特徴とした請求項１記載の犬専用散歩車。
【請求項５】
両脇に付いている２２インチ空気タイヤで愛犬が毛、手、足を怪我しないように又、愛犬の爪で破損しないように十分な厚さを持ち、丈夫で耐久性があるもので視界を妨がないように怪我防止板を取り付けることを特徴とした請求項１記載の犬専用散歩車。
【請求項６】
ハンドルに付いている１０傘スタンドは１ハンドルと１７フレームに１６パイプ支持鉄板を取り付けることでしっかり固定されており、傘は使用する飼い主に合わせて大、中、小に柄の長さを工夫することが出来ることを特徴とした請求項１記載の犬専用散歩車。
【請求項７】
健全な愛犬は、ステップ板から自分で座席箱に入れるようにステップ板を付けることを特徴とした請求項１記載の犬専用散歩車。
【請求項８】
方向転換がスムーズに出来、段差等も楽に移動でき、大型犬の重さに耐える為に方向前車輪１個と２２インチ空気タイヤ２個からなることが特徴とする請求項１記載の犬専用散歩車。
【請求項９】
急な坂を降りるとき、止める時の為にハンドルの両脇にハンドブレーキを付けることを特徴とした請求項１記載の犬専用散歩車。